(57)【特許請求の範囲】
【請求項１】
所定の操作によって登録済みの行先階登録をキャンセルするキャンセル機能を有するエレベーターにおいて、
登録済みの行先階登録数と、エレベーターかごに搭乗している乗客数との関係が所定の条件を満たした場合に、前記キャンセル機能を発揮させるための前記所定の操作の方法を表示する表示手段を備え、
前記エレベーターかごに設けられたドアの戸開時間が満了した時に前記表示手段に前記所定の操作の方法が継続して表示されている場合、前記エレベーターかごの走行中も当該表示を継続し、前記エレベーターかごが停止した際に当該表示を解除することを特徴としたエレベーターの表示装置。
【請求項２】
前記行先階登録数と、前記乗客数との関係が前記所定の条件を満たした場合に、エレベーターかごに設けられたドアの戸開時間を延長し、
前記延長した戸開時間が満了した時に前記表示手段に前記所定の操作の方法が継続して表示されている場合、前記エレベーターかごの走行中にも当該表示を継続し、前記エレベーターかごが停止した際に当該表示を解除することを特徴とした請求項１に記載のエレベーターの表示装置。
【請求項３】
前記行先階登録数と、前記乗客数との関係が満たすべき前記所定の条件は、前記行先階登録数が、前記乗客数より大きいことであることを特徴とした請求項１又は請求項２のいずれかに記載のエレベーターの表示装置。
【請求項４】
前記行先階登録数と、前記乗客数との関係が満たすべき前記所定の条件は、前記行先階登録数と任意に設定されたパラメータとの和が、前記乗客数より大きいことであることを特徴とした請求項１又は請求項２のいずれかに記載のエレベーターの表示装置。
【請求項５】
エレベーターの昇降路内を昇降するエレベーターかごと、
前記エレベーターかご内に設けられたかご内操作盤と、
前記かご内操作盤に設けられ、利用者が押下することで行先階を登録する行先階登録ボタンと、
利用者による前記行先階登録ボタンの操作を検出するボタン操作検出手段と、を備え、
所定の操作によって登録済みの行先階登録をキャンセルするキャンセル機能を有するエレベーターにおいて、
前記ボタン操作検出手段により検出された、利用者による前記行先階登録ボタンの操作に関する情報の入力を受けて行先階登録数を算出する行先階登録数検出手段と、
前記エレベーターかご内に積載された負荷を検出するかご負荷検出手段と、
前記かご負荷検出手段により検出された、前記エレベーターかご内に積載された負荷に関する情報の入力を受け、この負荷情報を、所定の一人当り重量を介した演算により前記エレベーターかごに搭乗している乗客数に換算する乗客数換算手段と、
前記行先階登録数検出手段が算出した行先階登録数と、前記乗客数換算手段が換算した前記エレベーターかごに搭乗している換算乗客数との関係が所定の条件を満たした場合に、前記キャンセル機能を発揮させるための前記所定の操作の方法を表示する表示手段と、を備え、
前記エレベーターかごに設けられたドアの戸開時間が満了した時に前記表示手段に前記所定の操作の方法が継続して表示されている場合、前記エレベーターかごの走行中も当該表示を継続し、前記エレベーターかごが停止した際に当該表示を解除することを特徴としたエレベーターの表示装置。
【請求項６】
前記行先階登録数検出手段が算出した行先階登録数と、前記乗客数換算手段が換算した前記エレベーターかごに搭乗している換算乗客数との関係が前記所定の条件を満たした場合に、前記エレベーターかごに設けられたドアの戸開時間を延長し、
前記延長した戸開時間が満了した時に前記表示手段に前記所定の操作の方法が継続して表示されている場合、前記エレベーターかごの走行中にも当該表示を継続し、前記エレベーターかごが停止した際に当該表示を解除することを特徴とした請求項５に記載のエレベーターの表示装置。
【請求項７】
前記行先階登録数検出手段が算出した行先階登録数と、前記乗客数換算手段が換算した前記エレベーターかごに搭乗している換算乗客数との関係が満たすべき前記所定の条件は、前記行先階登録数が、前記換算乗客数より大きいことであることを特徴とした請求項５又は請求項６のいずれかに記載のエレベーターの表示装置。
【請求項８】
任意に設定された設定パラメータが格納される設定パラメータ格納部を備え、
前記行先階登録数検出手段が算出した行先階登録数と、前記乗客数換算手段が換算した前記エレベーターかごに搭乗している換算乗客数との関係が満たすべき前記所定の条件は、前記行先階登録数と前記設定パラメータとの和が、前記換算乗客数より大きいことであることを特徴とした請求項５又は請求項６のいずれかに記載のエレベーターの表示装置。
【請求項９】
前記行先階登録数検出手段が算出した行先階登録数と、前記乗客数換算手段が換算した前記エレベーターかごに搭乗している換算乗客数との関係が前記所定の条件を満たした場合に、前記キャンセル機能を発揮させるための前記所定の操作の方法を報知するアナウンス手段を備えたことを特徴とした請求項５から請求項８のいずれかに記載のエレベーターの表示装置。
【請求項１０】
前記表示手段は、かご内操作盤に設けられたタッチパネルディスプレイであることを特徴とした請求項５から請求項９のいずれかに記載のエレベーターの表示装置。
【請求項１１】
前記表示手段は、かご内操作盤に設けられた液晶ディスプレイであることを特徴とした請求項５から請求項９のいずれかに記載のエレベーターの表示装置。
【請求項１２】
前記表示手段は、かご内操作盤に設けられ、前記キャンセルする機能を発揮させるための前記所定の操作の方法が印字されたかご内表示灯であることを特徴とした請求項５から請求項９のいずれかに記載のエレベーターの表示装置。
【発明の詳細な説明】
【技術分野】
【０００１】
この発明は、エレベーターの表示装置に関するものである。
【背景技術】
【０００２】
従来におけるエレベーターの表示装置において利用者の案内に供する情報にエレベーターかご内の人数を用いたものとして、各乗場に設置したサービス案内装置と、エレベーターかご内の人数に関する情報を含むエレベーターの状態から評価値を求める評価値演算手段と、少なくとも前記評価値の値を判定する項を含む所定条件を満足したことを判定し、前記サービス案内装置の表示パターンの種類を決定する所定条件検出手段と、エレベーターかご内の人数を含む前記エレベーターの状態の情報と前記表示パターンの種類とから前記サービス案内装置の画面データを作成する作成手段と、を備え、前記サービス案内装置にエレベーターかご内の人数を含むエレベーターのサービス状態とそれに適したメッセージ等を絵と文字により表示するように構成したものが知られている（例えば、特許文献１参照）。
そして、従来におけるエレベーターの表示装置において利用者に対する操作方法の案内に係るものとして、ドア装置の異常を検出する異常検出手段と、この異常検出手段の出力とともにエレベーターかご内の乗客を検出する乗客検出手段の出力があるときに、乗客へエレベーターかごから運転操作を行う操作手段の案内を行う報知装置と、を備えたものや（例えば、特許文献２参照）、従来におけるエレベーターの表示装置においてタッチパネル式ディスプレイを用いた情報システムとして、指のタッチ操作により操作信号を出力するタッチパネル式ディスプレイを階床に設置し、タッチパネル式ディスプレイの最初の表示画面である検索表示画面の入力キーボード等の検索入力部をタッチ操作し、これに対応する情報を中央処理装置から引き出して検索結果表示画面を画面表示し、この検索結果表示画面から必要情報を入手するよう構成したもの（例えば、特許文献３参照）が知られている。
また、従来において、誤操作又はいたずらにより登録された行先階登録を取り消すものとして、エレベーターかごにかかる負荷が一定以下で、かつ、一定数以上の行先階が登録された場合に、当該登録された行先階登録の全てを一括して取り消す機能（いたずら呼びキャンセル機能）を備えたものが知られている。
【０００３】
【特許文献１】特開昭６３−２１２６８６号公報
【特許文献２】特開平０８−０５９１０７号公報
【特許文献３】特開平１１−１４６３９１号公報
【発明の開示】
【発明が解決しようとする課題】
【０００４】
エレベーターには、誤操作又はいたずらにより登録された行先階登録を取り消すために、当該誤操作又はいたずらにより登録された行先階に対応する行先階登録ボタンを一定時間内に連続して２度押下（２度押し操作）することにより、その登録を取り消すことができる機能（２度押しキャンセル機能）を備えたものがある。
しかしながら、この２度押しキャンセル機能は一般の利用者に広く知られているとはいえないため、実際にこの２度押しキャンセル機能を用いることが適当である場面であっても適切に活用されていない、という課題や、行先階登録を取り消すため、走行中に２度押し操作を行った際は、走行中であるため限られた時間内でこの操作を終えなければならず、この操作のタイミングが遅れてしまうと、エレベーターかごが本来不要である余計な走行を行ってしまう場合がある、という課題がある。
また、前述のいたずら呼びキャンセル機能を備えたエレベーターにおいては、一定条件の下で登録された行先階登録の全てが一括して取り消されてしまうため、正しい行先階登録まで取り消されてしまい、利用者が再度登録する必要があるという課題がある。
【０００５】
この発明は、前述のような課題を解決するためになされたもので、誤操作又はいたずらにより登録された行先階登録を取り消す機能（２度押しキャンセル機能）の適切な活用を促し、エレベーターの運転効率を向上させることができるエレベーターの表示装置を得るものである。
【課題を解決するための手段】
【０００６】
この発明に係るエレベーターの表示装置においては、所定の操作によって登録済みの行先階登録をキャンセルするキャンセル機能を有するエレベーターにおいて、登録済みの行先階登録数と、エレベーターかごに搭乗している乗客数との関係が所定の条件を満たした場合に、前記キャンセル機能を発揮させるための前記所定の操作の方法を表示する表示手段を備え、前記エレベーターかごに設けられたドアの戸開時間が満了した時に前記表示手段に前記所定の操作の方法が継続して表示されている場合、前記エレベーターかごの走行中も当該表示を継続し、前記エレベーターかごが停止した際に当該表示を解除する構成とする。
また、エレベーターの昇降路内を昇降するエレベーターかごと、前記エレベーターかご内に設けられたかご内操作盤と、前記かご内操作盤に設けられ、利用者が押下することで行先階を登録する行先階登録ボタンと、利用者による前記行先階登録ボタンの操作を検出するボタン操作検出手段と、を備え、所定の操作によって登録済みの行先階登録をキャンセルするキャンセル機能を有するエレベーターにおいて、前記ボタン操作検出手段により検出された、利用者による前記行先階登録ボタンの操作に関する情報の入力を受けて行先階登録数を算出する行先階登録数検出手段と、前記エレベーターかご内に積載された負荷を検出するかご負荷検出手段と、前記かご負荷検出手段により検出された、前記エレベーターかご内に積載された負荷に関する情報の入力を受け、この負荷情報を、所定の一人当り重量を介した演算により前記エレベーターかごに搭乗している乗客数に換算する乗客数換算手段と、前記行先階登録数検出手段が算出した行先階登録数と、前記乗客数換算手段が換算した前記エレベーターかごに搭乗している換算乗客数との関係が所定の条件を満たした場合に、前記キャンセル機能を発揮させるための前記所定の操作の方法を表示する表示手段と、を備え、前記エレベーターかごに設けられたドアの戸開時間が満了した時に前記表示手段に前記所定の操作の方法が継続して表示されている場合、前記エレベーターかごの走行中も当該表示を継続し、前記エレベーターかごが停止した際に当該表示を解除する構成とする。
【発明の効果】
【０００７】
この発明に係るエレベーターの表示装置においては、誤操作又はいたずらにより登録された行先階登録を取り消す機能の適切な活用を促し、エレベーターの運転効率を向上させることができるという効果を奏する。
【発明を実施するための最良の形態】
【０００８】
実施の形態１．
図１は、この発明の実施の形態１から実施の形態６に関するもので、エレベーターの表示装置の全体構成を示すブロック図である。また、図２及び図３は、この発明の実施の形態１に関するもので、図２はタッチパネルディスプレイを使用したエレベーターかご内操作盤の正面図、図３は操作方法の表示動作を示すフロー図である。
図において１は、図示しないエレベーター昇降路内を昇降するエレベーターかごで、このエレベーターかご１には、かごのドア（図示せず）を開閉駆動するドア装置２、前記エレベーターかご１内に積載された負荷を検出するかご負荷検出手段３、及び、前記ドア装置２や後述するタッチパネルディスプレイ８等の前記エレベーターかご１に設けられた各種機器を制御するかご内部制御手段４が設けられている。そして、前記エレベーターかご１の内部にはエレベーターかご内操作盤５が設けられており、このエレベーターかご内操作盤５には、利用者が行先階を登録するための行先階登録ボタン６、利用者によるこの行先階登録ボタン６の押下操作を検出するボタン操作検出手段７、並びに、利用者による操作を検出するタッチセンサと各種情報及びボタン等の画像を表示するタッチパネルとからなるタッチパネルディスプレイ８が設けられている。
なお、前記行先階登録ボタン６は、前記タッチパネルディスプレイ８の機能により実装することができる（図２（ａ））。
９は、前記エレベーターかご１とは別の場所に設けられたエレベーター制御装置で、このエレベーター制御装置９は、前記ボタン操作検出手段７により検出された、利用者による前記行先階登録ボタン６の操作に関する情報の入力を受けて行先階登録数を算出する行先階登録数検出部１０、前記かご負荷検出手段３により検出された、前記エレベーターかご１内に積載された負荷に関する情報の入力を受け、この負荷情報を、所定の一人当り重量を介した演算により前記エレベーターかご１に搭乗している乗客数に換算する乗客数換算部１１、及び、前記エレベーターかご１の動作を制御するかご動作制御手段１２を備えている。
【０００９】
図３のフロー図は、この実施の形態における操作方法の表示動作を示すものである。
まず、ステップＳ１において、前記かご動作制御手段１２は、前記乗客数換算部１１が換算した前記エレベーターかご１に搭乗している換算乗客数と、前記行先階登録数検出部１０が算出した行先階登録数の入力を受け、これらの大小を比較する。この比較の結果、前記行先階登録数が前記換算乗客数以下であった場合は、ステップＳ５へと進み、一連のフローを終了する。
一方、ステップＳ１での比較において、前記行先階登録数が前記換算乗客数より大きい場合は、ステップＳ２へと移行する。ステップＳ２では、前記かご動作制御手段１２が前記かご内部制御手段４へと、２度押しキャンセル機能を利用するための操作方法の表示指令を出力し、前記かご内部制御手段４は、この表示指令を受けて、前記タッチパネルディスプレイ８に前記操作方法のメッセージを表示する（図２（ｂ））。
次に、ステップＳ３へと進み、前記かご動作制御手段１２は、再度、前記乗客数換算部１１が換算した前記エレベーターかご１に搭乗している換算乗客数と、前記行先階登録数検出部１０が算出した行先階登録数の入力を受け、これらの大小を比較する。この比較において、前記行先階登録数が未だ前記換算乗客数より大きい場合は、ステップＳ２へと戻り、前記行先階登録数が前記換算乗客数以下になるまで前記タッチパネルディスプレイ８に前記操作方法のメッセージを表示し続ける。
そして、ステップＳ３での比較において、前記行先階登録数が前記換算乗客数以下であると判定された場合は、ステップＳ４へと移り、前記かご動作制御手段１２は前記かご内部制御手段４へと、前記操作方法の表示解除指令を出力する。前記かご内部制御手段４は、この表示解除指令を受けて、前記タッチパネルディスプレイ８に表示されていた操作方法のメッセージ表示を解除して（図２（ａ））、ステップＳ５へと進み、一連のフローを終了する。
【００１０】
以上のように構成されたエレベーターの表示装置においては、エレベーターかご内の操作盤より登録された行先階の登録数がエレベーターかご内に搭乗している利用者の人数より多いと判断された場合に、エレベーターかご内の操作盤に設けられたタッチパネルディスプレイに２度押しキャンセル機能を利用するための操作方法を表示することにより、誤操作又はいたずらにより登録された行先階登録を取り消すことができる２度押しキャンセル機能の適切な活用を促し、エレベーターの運転効率を向上させることが可能である。
【００１１】
実施の形態２．
図４は、この発明の実施の形態２に関するもので、２度押しキャンセル機能の操作方法表示に液晶ディスプレイを使用したエレベーターかご内操作盤の正面図である。この図４において、図１及び図２と同符号は同一部分又は相当部分を示しており、説明を省略する。
ここで説明する実施の形態２は、前述した実施の形態１の構成におけるタッチパネルディスプレイに代えて、液晶ディスプレイを用いて２度押しキャンセル機能を利用するための操作方法を表示するように構成したものである。
すなわち、前記エレベーターかご１の内部に設けられた前記エレベーターかご内操作盤５には、利用者が行先階を登録するための行先階登録ボタン６、利用者によるこの行先階登録ボタン６の押下操作を検出するボタン操作検出手段７、及び、メッセージ表示部である液晶ディスプレイ１３が設けられており、他の構成は実施の形態１と同様である。
【００１２】
また、この実施の形態における操作方法の表示動作についても、前記液晶ディスプレイ１３を用いて２度押しキャンセル機能を利用するための操作方法を表示する点を除き、実施の形態１と同様である。
すなわち、図３中のステップＳ２において、前記かご動作制御手段１２から出力された表示指令を受けた前記かご内部制御手段４は、前記液晶ディスプレイ１３に前記操作方法のメッセージを表示する。この際、図４（ｂ）〜（ｄ）に示すように、前記操作方法のメッセージを自動スクロール表示することもできる。
また、ステップＳ３の比較において、前記行先階登録数が未だ前記換算乗客数より大きい場合は、ステップＳ２へと戻り、前記行先階登録数が前記換算乗客数以下になるまで前記液晶ディスプレイ１３に前記操作方法のメッセージを表示し続ける。
そして、ステップＳ４において、前記かご動作制御手段１２から出力された前記表示解除指令を受けた前記かご内部制御手段４は、前記液晶ディスプレイ１３に表示されていた操作方法のメッセージ表示を解除する（図４（ａ））。
【００１３】
以上のように構成されたエレベーターの表示装置においては、エレベーターかご内の操作盤より登録された行先階の登録数がエレベーターかご内に搭乗している利用者の人数より多いと判断された場合に、エレベーターかご内の操作盤に設けられた液晶ディスプレイに２度押しキャンセル機能を利用するための操作方法を表示することにより、実施の形態１と同様の効果を奏することが可能である。
【００１４】
実施の形態３．
図５は、この発明の実施の形態３に関するもので、２度押しキャンセル機能の操作方法表示にかご内表示灯を使用したエレベーターかご内操作盤の正面図である。この図５において、図１及び図２と同符号は同一部分又は相当部分を示しており、説明を省略する。
ここで説明する実施の形態３は、前述した実施の形態１の構成におけるタッチパネルディスプレイや、実施の形態２の構成における液晶ディスプレイに代えて、かご内表示灯を用いて２度押しキャンセル機能を利用するための操作方法を表示するように構成したものである。
すなわち、前記エレベーターかご１の内部に設けられた前記エレベーターかご内操作盤５には、利用者が行先階を登録するための行先階登録ボタン６、利用者によるこの行先階登録ボタン６の押下操作を検出するボタン操作検出手段７、及び、予め２度押しキャンセル機能を利用するための操作方法を説明するメッセージがその表面に印字されたかご内表示灯１４が設けられており、他の構成は実施の形態１や実施の形態２と同様である。
【００１５】
また、この実施の形態における操作方法の表示動作についても、前記かご内表示灯１４を用いて２度押しキャンセル機能を利用するための操作方法を表示する点を除き、実施の形態１や実施の形態２と同様である。
すなわち、図３中のステップＳ２において、前記かご動作制御手段１２から出力された表示指令を受けた前記かご内部制御手段４は、前記かご内表示灯１４を点灯させ、前記操作方法のメッセージを表示する（図５（ｂ））。
また、ステップＳ３の比較において、前記行先階登録数が未だ前記換算乗客数より大きい場合は、ステップＳ２へと戻り、前記行先階登録数が前記換算乗客数以下になるまで前記かご内表示灯１４を点灯させ続けることにより、前記操作方法のメッセージの表示を継続する。
そして、ステップＳ４において、前記かご動作制御手段１２から出力された前記表示解除指令を受けた前記かご内部制御手段４は、前記かご内表示灯１４を消灯して、前記操作方法のメッセージ表示を解除する（図５（ａ））。
【００１６】
以上のように構成されたエレベーターの表示装置においては、エレベーターかご内の操作盤より登録された行先階の登録数がエレベーターかご内に搭乗している利用者の人数より多いと判断された場合に、エレベーターかご内の操作盤に設けられたかご内表示灯を点灯して、利用者に２度押しキャンセル機能を利用するための操作方法を表示することにより、実施の形態１や実施の形態２と同様の効果を奏することが可能である。
【００１７】
実施の形態４．
ここで説明する実施の形態４は、前述した実施の形態１から実施の形態３の構成に加えて、２度押しキャンセル機能を利用するための操作方法を報知するアナウンス装置を設けたものである。
すなわち、前記エレベーターかご１には、アナウンス装置１５が設けられており、他の構成は実施の形態１から実施の形態３と同様である。
【００１８】
また、この実施の形態における操作方法の表示動作についても、２度押しキャンセル機能を利用するための操作方法を表示する際に、同時に前記アナウンス装置１５を用いて前記操作方法を報知する点を除き、実施の形態１から実施の形態３と同様である。
すなわち、図３中のステップＳ２において、前記タッチパネルディスプレイ８、前記液晶ディスプレイ１３や前記かご内表示灯１４に、２度押しキャンセル機能を利用するための操作方法を表示すると同時に、前記アナウンス装置１５を用いて前記操作方法を報知する。
なお、この報知の回数及び解除動作については、前記タッチパネルディスプレイ８等に表示している前記操作方法の解除条件が成立するまで、換言すれば、ステップＳ３からステップＳ４へと移行するまでは報知を継続し、ステップＳ４に進んだ際に、前記タッチパネルディスプレイ８等に表示されている前記操作方法の表示を解除すると同時に前記報知を解除するように構成しても良いし、又は、前記エレベーターかご１が走行する前に１回だけ報知する、換言すれば、ステップＳ１からステップＳ２へと最初に移行した場合にのみ報知するように構成することもできる。
【００１９】
以上のように構成されたエレベーターの表示装置においては、実施の形態１から実施の形態３までと同様の効果を奏することができるのに加えて、エレベーターかご内の操作盤より登録された行先階の登録数がエレベーターかご内に搭乗している利用者の人数より多いと判断された場合に、エレベーターかご内の操作盤に設けられたタッチパネルディスプレイに２度押しキャンセル機能を利用するための操作方法をアナウンス装置により音声案内することにより、利用者に２度押しキャンセル機能の適切な活用をさらに促すことができる。
【００２０】
実施の形態５．
図６は、この発明の実施の形態５に関するもので、操作方法の表示動作を示すフロー図である。
ここで説明する実施の形態５は、前述した実施の形態１から実施の形態４の構成に加えて、２度押しキャンセル機能を利用するための操作方法を表示（及び報知）する条件が成立した場合に、前記エレベーターかご１に設けられたドアの戸開時間を延長するように構成したものである。
【００２１】
図６のフロー図は、この実施の形態における操作方法の表示動作を示している。
まず、ステップＳ１１で前記エレベーターかご１のドアの戸開時間が満了したか否かを確認する。この確認において、未だ前記戸開時間が満了していない場合は、このステップＳ１１の確認動作を繰り返して、前記戸開時間が満了するのを待つ。そして、前記ステップＳ１１での確認において、前記戸開時間が満了したことが確認された場合は、ステップＳ１２へと進む。
このステップＳ１２において、前記かご動作制御手段１２は、前記乗客数換算部１１が換算した前記エレベーターかご１に搭乗している換算乗客数と、前記行先階登録数検出部１０が算出した行先階登録数の入力を受け、これらの大小を比較する。この比較の結果、前記行先階登録数が前記換算乗客数以下であった場合は、ステップＳ１９へと進んで、前記ドアを戸閉し、前記エレベーターかご１の走行を開始した後、ステップＳ２０へと至って一連のフローを終了する。
一方、ステップＳ１２での比較において、前記行先階登録数が前記換算乗客数より大きい場合は、ステップＳ１３へと移行する。ステップＳ１３では、前記かご動作制御手段１２が前記かご内部制御手段４へと、２度押しキャンセル機能を利用するための操作方法の表示指令を出力し、前記かご内部制御手段４は、この表示指令を受けて、前記タッチパネルディスプレイ８等に前記操作方法のメッセージを表示する。また、実施の形態４における前記アナウンス装置１５を備えている場合には、前記表示と併せて前記アナウンス装置１５を用いて前記操作方法を報知する。
そして、ステップＳ１４へと移り、前記ドアの戸開時間を延長して、前記ドアの戸開状態を継続した上で、続くステップＳ１５において、前記かご動作制御手段１２は、再度、前記乗客数換算部１１が換算した前記エレベーターかご１に搭乗している換算乗客数と、前記行先階登録数検出部１０が算出した行先階登録数の入力を受け、これらの大小を比較する。この比較において、前記行先階登録数が未だ前記換算乗客数より大きい場合は、ステップＳ１６へと移行し、前記タッチパネルディスプレイ８等への前記操作方法のメッセージ表示を継続し、ステップＳ１８へと進む。
一方、ステップＳ１５での比較において、前記行先階登録数が前記換算乗客数以下であると判定された場合は、ステップＳ１７へと移り、前記かご動作制御手段１２は前記かご内部制御手段４へと、前記操作方法の表示解除指令を出力する。前記かご内部制御手段４は、この表示解除指令を受けて、前記タッチパネルディスプレイ８等に表示されていた操作方法のメッセージ表示を解除した上で、ステップＳ１８へと進む。
ステップＳ１８では、前記延長された戸開時間が満了したか否かを確認し、未だ前記延長された戸開時間が満了していなかった場合には、ステップＳ１５へと戻って、前記延長された戸開時間が満了するまで、ステップＳ１５からステップＳ１７までの過程を繰り返す。そして、前記ステップＳ１８での確認において、前記延長された戸開時間が満了したことが確認された場合は、ステップＳ１９へと進んで、前記ドアを戸閉し、前記エレベーターかご１の走行を開始した後、ステップＳ２０へと至って一連のフローを終了する。
なお、ステップＳ１８からステップＳ１９へと移行した際に、前記タッチパネルディスプレイ８等に前記操作方法のメッセージが継続して表示されている場合（ステップＳ１５〜ステップＳ１６〜ステップＳ１８と経由してステップＳ１９に至った場合）には、前記エレベーターかご１の走行中においても前記表示を継続して、前記エレベーターかご１の走行が停止した際に、前記表示を解除する。
【００２２】
以上のように構成されたエレベーターの表示装置においては、実施の形態１から実施の形態４までと同様の効果を奏することができるのに加えて、２度押しキャンセル機能を利用するための操作方法を表示（及び報知）する条件が成立した場合に、エレベーターかごのドアの戸開時間を延長してエレベーターかごの出発を遅延させ、エレベーターかごの走行前に利用者が２度押し操作を行う時間を確保することにより、２度押し操作のタイミング遅れに起因するエレベーターかごの余計な走行を未然に防止するとともに、利用者に２度押しキャンセル機能の適切な活用をさらに促すことができる。
【００２３】
実施の形態６．
ここで説明する実施の形態６は、前述した実施の形態１から実施の形態５の構成に加えて、２度押しキャンセル機能を利用するための操作方法を表示（及び報知）する条件を、前記行先階登録数に予め任意に設定した設定パラメータを加えた値が前記換算乗客数より大きい場合とするものである。
すなわち、図１において１６は、２度押しキャンセル機能を利用するための操作方法を表示（及び報知）する条件の判定に用いられる設定パラメータが格納される設定パラメータ格納部であり、他の構成は実施の形態１から実施の形態５と同様である。
【００２４】
また、この実施の形態における操作方法の表示動作についても、２度押しキャンセル機能を利用するための操作方法を表示（及び報知）する条件を除き、実施の形態１から実施の形態５と同様である。
すなわち、図３中のステップＳ１において、前記換算乗客数と、前記行先階登録数及び前記設定パラメータの和との大小を比較して、前記行先階登録数及び前記設定パラメータの和が前記換算乗客数以下であった場合はステップＳ５へと進む一方で、前記行先階登録数及び前記設定パラメータの和が前記換算乗客数より大きい場合は、ステップＳ２へと移行する。
そして、ステップＳ３において、再度、前記換算乗客数と、前記行先階登録数及び前記設定パラメータの和との大小を比較して、前記行先階登録数及び前記設定パラメータの和が前記換算乗客数以下であった場合はステップＳ４へと進む一方で、前記行先階登録数及び前記設定パラメータの和が未だ前記換算乗客数より大きい場合は、ステップＳ２へと戻る。
【００２５】
また、図６中のステップＳ１２において、前記換算乗客数と、前記行先階登録数及び前記設定パラメータの和との大小を比較して、前記行先階登録数及び前記設定パラメータの和が前記換算乗客数以下であった場合はステップＳ１９へと進む一方で、前記行先階登録数及び前記設定パラメータの和が前記換算乗客数より大きい場合は、ステップＳ１３へと移行する。
そして、ステップＳ１５において、再度、前記換算乗客数と、前記行先階登録数及び前記設定パラメータの和との大小を比較して、前記行先階登録数及び前記設定パラメータの和が前記換算乗客数以下であった場合はステップＳ１７へと進む一方で、前記行先階登録数及び前記設定パラメータの和が未だ前記換算乗客数より大きい場合は、ステップＳ１６へと移行する。
【００２６】
以上のように構成されたエレベーターの表示装置においては、実施の形態１から実施の形態５までと同様の効果を奏することができるのに加えて、２度押しキャンセル機能を利用するための操作方法を表示（及び報知）する条件を、換算乗客数と行先階登録数との差が予め任意に設定した設定パラメータより大きくなった場合であるとすることにより、設定パラメータを任意の値に調整することで、操作方法を表示（及び報知）する頻度を任意の頻度に調整することができる。
【図面の簡単な説明】
【００２７】
【図１】この発明の実施の形態１から実施の形態６におけるエレベーターの表示装置の全体構成を示すブロック図である。
【図２】この発明の実施の形態１におけるタッチパネルディスプレイを使用したエレベーターかご内操作盤の正面図である。
【図３】この発明の実施の形態１における操作方法の表示動作を示すフロー図である。
【図４】この発明の実施の形態２における２度押しキャンセル機能の操作方法表示に液晶ディスプレイを使用したエレベーターかご内操作盤の正面図である。
【図５】この発明の実施の形態３における２度押しキャンセル機能の操作方法表示にかご内表示灯を使用したエレベーターかご内操作盤の正面図である。
【図６】この発明の実施の形態５における操作方法の表示動作を示すフロー図である。
【符号の説明】
【００２８】
１    エレベーターかご
２    ドア装置
３    かご負荷検出手段
４    かご内部制御手段
５    エレベーターかご内操作盤
６    行先階登録ボタン
７    ボタン操作検出手段
８    タッチパネルディスプレイ
９    エレベーター制御装置
１０    行先階登録数検出部
１１    乗客数換算部
１２    かご動作制御手段
１３    液晶ディスプレイ
１４    かご内表示灯
１５    アナウンス装置
１６    設定パラメータ格納部
【図１】
0005315650.tif 000002
【図２】
0005315650.tif 000003
【図３】
0005315650.tif 000004
【図４】
0005315650.tif 000005
【図５】
0005315650.tif 000006
【図６】
0005315650.tif 000007